(57)【特許請求の範囲】
【請求項１】
周胴部となる筒状体と、底面部となるボトム部材とを接合してなり、前記底面部を押圧することにより開裂し、当該底面部を縁部付近から中央へ向かって破壊可能とする脆弱部を備える準剛性包装容器であって、
前記脆弱部は、少なくとも一つの弧から形成された曲線状域と、当該曲線状域の一端側及び他端側より連続して底面部の周縁方向へ夫々延びる二つの直線状域を含む山型形状を呈し、前記曲線状域を構成する弧の頂部につなぎ部が位置するように形成された破断用ミシン目であり、
当該破断用ミシン目は、底面部の中心領域を避けて設けられ、前記直線状域における端部側の切断部が底面部の周縁まで達しておらず、周縁から遠ざかるように曲折する弧状に形成されている、
ことを特徴とする破断構造を有する包装容器。
【請求項２】
前記破断用ミシン目は、少なくとも前記曲線状域を構成する弧の頂部に位置するつなぎ部の長さが、他のつなぎ部の長さより短いことを特徴とする請求項１に記載の破断構造を有する包装容器。
【請求項３】
前記破断用ミシン目は、前記曲線状域を構成する弧の頂部に位置するつなぎ部と、このつなぎ部に隣接する二つのつなぎ部を含めた三つのつなぎ部の長さが、他のつなぎ部の長さより短いことを特徴とする請求項１に記載の破断構造を有する包装容器。
【請求項４】
前記破断用ミシン目は、前記曲線状域を構成する全てのつなぎ部の長さが、前記直線状域におけるつなぎ部の長さより短いことを特徴とする請求項１に記載の破断構造を有する包装容器。
【請求項５】
前記底面部は、前記頂部に位置するつなぎ部の近傍に視覚的もしくは触覚的に認識することができる目印が施されていることを特徴とする請求項１から請求項４の何れか１項に記載の破断構造を有する包装容器。
【請求項６】
前記底面部は、円形又は楕円形状であることを特徴とする請求項１から請求項５の何れか１項に記載の破断構造を有する包装容器。
【請求項７】
前記底面部は、多角形状であることを特徴とする請求項１から請求項５の何れか１項に記載の破断構造を有する包装容器。
【請求項８】
前記脆弱部は、少なくとも二ヶ所に設けられていることを特徴とする請求項１から請求項７の何れか１項に記載の破断構造を有する包装容器。
【請求項９】
前記脆弱部は、対称位置に設けられていることを特徴とする請求項８に記載の破断構造を有する包装容器。
【請求項１０】
前記脆弱部は、底面部の角部に前記曲線状域を構成する弧の頂部が位置するように設けられていることを特徴とする請求項７から請求項９の何れか１項に記載の破断構造を有する包装容器。
【発明の詳細な説明】
【技術分野】
【０００１】
本願発明は、商品を収容して搬送、保管及び展示することができる包装容器に係り、詳しくは、収容された商品を消費等することによって不要となった包装容器を廃棄する際に、少量化・減容化を図るために平面的に押し潰し易くする加工が施された破断構造を有する包装容器に関する。
【背景技術】
【０００２】
商品を収容して搬送等する包装容器は、商品が汚染しないようにすると共に、その表面に購買意欲を刺激する（掻き立てる）ようなデザインを施したりするため、必要不可欠なものとなっている。また、収容した商品が外部からの衝撃等を受けて破損し易いものである場合、包装容器は丈夫で耐久性に優れた機械的強度の高いものが望ましい。
【０００３】
一方で、包装容器は不要となったときに、嵩張らないで廃棄し易いように出来るだけ少量化・減容化することが望まれている。ところが、収容された商品を保護するために丈夫で耐久性に優れた機械的強度の高い包装容器の場合、容易に押し潰すことができず十分な減容化を図ることができない。特に、底面部の強度が高い包装容器の場合、側面部を押し潰しても底部が破壊されずに残ってしまうため廃棄し辛いものである。
【０００４】
そこで、容器の底部を破壊する手段として、紙コップの底部に折線を施すことにより、この折線に沿って底部を折り曲げ易くして、不要となって廃棄される紙コップを平面的に押し潰して少量化・減容化を図るようにした技術が提案されている（たとえば、特許文献１を参照）。
【０００５】
しかしながら、特許文献１において示された折線の場合、外部からの衝撃等を受けて破損し易い商品を収容して搬送、保管及び展示する包装容器には適用し難いものである。すなわち、包装容器の底部に折線を施して折り曲げ易くすると、包装容器の側面方向から受ける応力に対する機械的強度が落ち、外部からの衝撃等によって包装容器が容易に潰れ、収容された商品が損傷してしまうおそれがある。
【０００６】
一方、外部からの衝撃によっても包装容器が容易に潰れないように、底面となる部材の強度を高めたものとすると、底部が折線に沿って折り曲げ難いものとなり、包装容器の底部に折線を設けた意味をなさないものとなってしまう。
ゆえに、特許文献１において示された折線は、紙コップのように、商品を収容して搬送、保管及び展示することを意図しない機械的強度の低い部材で形成された容器であれば適用する意味は充分にあるが、丈夫で耐久性に優れた機械的強度の高い部材で形成された準剛性の包装容器には適さないものと言える。
【０００７】
また、特許文献１において示された技術を参考にして、包装容器の底面部中央に直線状を呈するミシン目を施し、このミシン目に応力を加えて破断させることで、ミシン目に沿って底部を中央付近から破壊し、包装容器を平面的に押し潰し易くすることが容易に想到される。
【０００８】
しかしながら、ミシン目が直線状を呈するものである場合、ミシン目を開裂させるために指でミシン目部分を押圧して応力を加えると、開裂したミシン目より指が底部を突き抜けて挿入され、破断した底部におけるミシン目の縁部と縁部の間に指が挟まれ、創傷を負ってしまうおそれがあり望ましくない。
【０００９】
そこで、段ボール箱や包装用箱の底板に、直線状を呈するミシン目を組み合わせて面全体を開口させるミシン目を施すことにより、破断した底板におけるミシン目の間に指が挟まれることなく、包装容器を平面的に押し潰し易くして、廃棄される有底容器の少量化・減容化を図るようにした技術が幾つか提案されている（たとえば、特許文献２，３を参照）。
【００１０】
しかしながら、特許文献２及び３において示されたミシン目の場合、何れも底板の中心領域を通ってミシン目が形成されているものであることから、包装容器の製造過程や、商品の収容、搬送、保管及び展示等の過程においてミシン目に応力が加わり、意図せずミシン目が開裂してしまうおそれがある。このようなミシン目の意図しない開裂は、包装容器の側面部方向より底板（の縁部）に衝撃を受けることで生じるほか、装置を用いて包装容器を効率良く機械的に製造する場合に生じることがある。
【００１１】
たとえば、ボトマー（底貼装置）を用いて有底円筒状をした包装容器を機械的に製造する場合、予め製造した筒状体をボトマーのマンドレルに被せるように挿入して支持した後、この筒状体のボトム側開口に、予め打抜いて製造した底板となるボトム部材を配し、筒状体のボトム側開口縁部を折り込むことによって筒状体とボトム部材とを接合するものとしている。この際、ミシン目は、底面部の中心領域に位置するように予めボトム部材に形成されたものとなっているか、筒状体とボトム部材とを接合した後、底板の中心領域に形成するものとなる。そして、出来上がった包装容器はマンドレルから引き抜かれるが、筒状体のボトム側開口がボトム部材によって閉塞されることに伴ってマンドレルに支持された包装容器の内部が密閉された状態に近いものとなり、包装容器をマンドレルから引き抜くことで、包装容器の内部に陰圧が生じてしまう。そのため、これを緩和することを意図してマンドレルの内部より包装容器の底板の中心領域へ向かってエアーを噴射することしている。ところが、包装容器の内部に生じる陰圧と、マンドレルの内部より噴出されるエアーによる加圧の影響によって、底板に施したミシン目の一部が開裂してしまうことがある。
【００１２】
すなわち、ミシン目は外部から応力が加わることで容易に開裂できるように形成されているため、何らかの衝撃でミシン目の一部が開裂すると、この部分がトリガーとなって底面部の破壊が開始されてしまう。そうすると、包装容器に収容されている商品自体に何の損傷がないにも関わらず、商品として販売できないものとなってしまうことがある。
【先行技術文献】
【特許文献】
【００１３】
【特許文献１】特開２００２−１９３２３９号公報
【特許文献２】特開平１０−２９７６２６号公報
【特許文献３】特許第５３７２４２４号公報
【発明の概要】
【発明が解決しようとする課題】
【００１４】
本発明は、上記事情に鑑みて成されたものであり、外部からの衝撃等によっても容易に潰れない丈夫で耐久性に優れた機械的強度の高い準剛性の包装容器の少量化・減容化を図るために、包装容器の底面部に施されたミシン目を改良した技術を提供することを目的とする。具体的には、包装容器の底面部を破壊して容易に平面的に押し潰すことができるようにすることは勿論のこと、底面部の破壊の際に創傷を負ってしまうおそれが無く、かつ、意図せず底面部の破壊が開始されてしまうことのない破断構造を有する包装容器を提供することを目的とする。
【課題を解決するための手段】
【００１５】
本発明に係る破断構造を有する包装容器は、底面部を開裂可能とする脆弱部を備える準剛性包装容器であって、この脆弱部は、底面部の中心領域を避けて設けられた非直線形状を呈するものであることを特徴とする。
【００１６】
また、脆弱部は、少なくとも一つの弧から形成された曲線状域を含むものであると良く、たとえば、曲線状域の一端側及び他端側より連続して底面部の周縁方向へ夫々延びる二つの直線状域を含む山型形状を呈するものとすることができる。
また、脆弱部としては、具体的に、曲線状域を構成する弧の頂部につなぎ部が位置するように形成された破断用ミシン目とすることが出来る。
【００１７】
また、脆弱部が、上述のような山型形状を呈する破断用ミシン目である場合、破断用ミシン目は、開裂し易さを考慮して、少なくとも曲線状域を構成する弧の頂部に位置するつなぎ部の長さが、他のつなぎ部の長さより短く設定されているものとすることができる。また、破断用ミシン目は、更なる開裂し易さを考慮して、曲線状域を構成する弧の頂部に位置するつなぎ部と、このつなぎ部に隣接する二つのつなぎ部を含めた三つのつなぎ部の長さが、他のつなぎ部の長さより短く設定されているものとしても良い。さらに、破断用ミシン目は、曲線状域の大きさ（長さ）によっては、曲線状域を構成する全てのつなぎ部の長さが、直線状域におけるつなぎ部の長さより短く設定されているものとしても良い。
【００１８】
また、上述のように山型形状を呈する破断用ミシン目を脆弱部とした場合、直線状域における端部側の切断部が底面部の周縁まで達していないものとすると良く、その場合、端部側の切断部は、周縁から遠ざかるように曲折する弧状に形成されているとさらに望ましい。
【００１９】
また、本発明において底面部は、上述のように山型形状を呈する破断用ミシン目を備える場合、曲線状域を構成する弧の頂部に位置するつなぎ部の近傍に視覚的もしくは触覚的に認識することができる目印が施されているものとすると望ましい。
【００２０】
また、本発明に係る破断構造を有する包装容器は、底面部が、円形又は楕円形状、もしくは多角形状であるものとすることができる。
上述のような形状をした底面部を有する包装容器において、本発明の破断用ミシン目は、少なくとも二ヶ所に設けられているものとしても良く、その場合、脆弱部は、対称位置に設けられているものとすると望ましい。
【００２１】
さらに、底面部の形状が多角形状である包装容器とした場合、脆弱部は、底面部の角部に曲線状域を構成する弧の頂部が位置するように設けられているものとすると望ましい。
【発明の効果】
【００２２】
本発明における包装容器は、底面部の中心領域を避けて設けられた非直線形状を呈する脆弱部を備える。ゆえに、非直線形状をした脆弱部の近傍を押圧して応力を加えることで、脆弱部を開裂して容易に底面部を破壊することが出来る。しかも、脆弱部は非直線形状をしたものであるため、脆弱部が開裂することによって底面部は平面的に広がりながら破壊されるものとなり、底面部を突き抜けた指が、破断した底部における脆弱部の縁部と縁部の間に挟まれて創傷を負ってしまうおそれもない。
【００２３】
また、本発明における包装容器は、底面部の中心領域を通らないで脆弱部が設けられている。ゆえに、包装容器を機械的に製造する場合、包装容器の底面部の中心領域へ向かってエアーを噴射したとしても、脆弱部にエアーによる衝撃等は直接加わらないため脆弱部の一部が開裂してしまうこともない。
【００２４】
以上のように本発明によれば、外部からの衝撃等によっても容易に潰れない丈夫で耐久性に優れた機械的強度の高い準剛性の包装容器の少量化・減容化を図るため、包装容器の底面部を破壊して容易に平面的に押し潰すことができるようにすることは勿論のこと、底面部の破壊の際に創傷を負ってしまうおそれが無く、かつ、意図せず底面部の破壊が開始されてしまうことのない破断構造を有する包装容器を提供することができる。
【図面の簡単な説明】
【００２５】
【図１】本発明に係る包装容器の底面部に、脆弱部の一例として破断用ミシン目が設けられた状態を示す図である。
【図２】［図１］に示された破断用ミシン目における切断部とつなぎ部を説明する図である。
【図３】本発明に係る包装容器の底面部に設けられた破断用ミシン目におけるつなぎ部の長さを説明する図である。
【図４】本発明に係る包装容器の底面部に設けられた他の破断用ミシン目におけるつなぎ部の長さを説明する図である。
【図５】本発明に係る包装容器の底面部に設けられた他の破断用ミシン目を示す図である。
【図６】本発明に係る包装容器の底面部に設けられた他の破断用ミシン目を示す図である。
【図７】本発明に係る包装容器の製造に用いる筒状体を製造する方法の一例を説明する模式図である。
【図８】本発明に係る包装容器を製造する装置を説明する平面概略図である。
【図９】本発明に係る包装容器の製造に用いる筒状体と、底面部となるボトム部材を示す図である。
【図１０】［図９］に示された筒状体とボトム部材とを接合した状態を示す、（Ａ）側面透過図、（Ｂ）接合部分の部分拡大断面図である。
【図１１】本発明に係る包装容器を平面的に押し潰す作業を説明する、（Ａ）底面部に設けられた破断用ミシン目を破断した状態を示す斜視図、（Ｂ）破断した破断用ミシン目をきっかけに底面図を略全体的に破壊した状態を示す斜視図、（Ｃ）底面部が破壊された包装容器を平面的に押し潰した状態を示す斜視図である。
【図１２】本発明に係る包装容器の底面部に設けられた破断用ミシン目の効果を確認するために行った試験に用いた包装容器を示す底面図である。
【図１３】本発明に係る包装容器の底面部に設けることができる他の破断用ミシン目を示す図である。
【図１４】本発明に係る包装容器の底面部に設けることができる他の破断用ミシン目を示す図である。
【発明を実施するための形態】
【００２６】
以下、本発明に係る破断構造を有する包装容器（以下、単に「包装容器」という。）        の実施の形態について、図面に基づき説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２７】
本発明の包装容器は、たとえば、成形ポテトチップスやコーンチップスなどのスナック菓子を収容して搬送、保管及び展示することができ、外部からの衝撃によって収容されたスナック菓子が破損してしまうことなく保護することができる程度の機械的強度を有する準剛性包装容器である。
【００２８】
本発明に係る包装容器は、準剛性のものとして製造することが出来れば、紙材や合成樹脂材、もしくは両者を組み合わせて用いたものであっても良く、材料は特に限定されるものではない。ゆえに、たとえば、木材パルプから抄紙される一般の紙のほかに、古紙パルプもしくは木材パルプ以外のケナフ・バンブーから抄紙された紙、又はこれらの紙の表面に熱可塑性樹脂をコートした合成紙、合成樹脂シートなどを自由に選択して製造することができる。
【００２９】
また、本発明に係る包装容器は、周胴（側面）部となる筒状体と、底面部となるボトム部材とを接合して製造することができ、筒状体とボトム部材とで適宜材料を変えて製造するものであっても良い。
また、本発明に係る包装容器において周胴部（筒状体）は、一枚の肉厚シート材を用いて製造するものであっても良いし、坪量の異なる複数種類の原紙を重ね合わせて（重層して）製造するものであっても良い。
【００３０】
本実施の形態では、円筒状をした周胴部を有する包装容器の底面部に、開裂可能とする脆弱部が設けられた場合を例として説明する。
図１に示すように、本実施の形態に係る包装容器１０は、円形をした底面部１２に非直線形状を呈する脆弱部１５を備えると共に、この脆弱部１５が底面部１２の中心領域を避けて設けられていることを特徴とする。
【００３１】
脆弱部１５は、底面部１２を容易に開裂可能とする破断構造である。この脆弱部１５としては、たとえば、底面部１２を構成する部材の肉厚方向に貫通する切り込みとしての切断部１６と、切り込みが設けられていないつなぎ部１７とが交互に形成された破断用ミシン目としても良い。また、脆弱部１５は、底面部１２を構成する部材を貫通しないように形成された筋状の薄肉部としても良い。
【００３２】
このように底面部１２の中心領域を避けて非直線形状を呈する脆弱部１５を設けることで、脆弱部１５を起点として始まる底面部１２の破壊は、底面部１２の周縁付近から中央へ向かって平面的に効率良く拡がってなされるものとなる。
【００３３】
図１において、本実施の形態における破断部１５は、一つの弧から形成された曲線状域αと、この曲線状域αの一端側及び他端側より底面部１２の縁部１２ａ方向へ夫々斜めに延びる二つの直線状域β、βとが連続する山型形状を呈するものであって、切断部１６とつなぎ部１７が交互に形成された破断用ミシン目として示されている。
【００３４】
この破断用ミシン目１５は、図２に示すように、曲線状域αを構成する弧の頂部につなぎ部１７αが位置するように形成された破断用ミシン目とすると望ましい。すなわち、底面部１２に形成された破断用ミシン目１５は容易に開裂されることが重要であるが、包装容器１０の取り扱いの際における外部からの衝撃や応力によって意図せず開裂してしまわないことも重要である。
【００３５】
ところが図５に示すように、山型形状を呈する破断用ミシン目において曲線状域αを構成する弧の頂部に切断部１６αがあると、この切断部１６αを起点として破断用ミシン目１５の開裂が開始され易いものなる。そうすると、包装容器１０の取り扱いの際における外部からの衝撃や応力により、この切断部１６αを起点として意図せず破断用ミシン目が開裂してしまうおそれがある。
【００３６】
そこで、本実施の形態では、底面部１２に形成された破断用ミシン目１５において開裂される起点位置を検討し、曲線状域αを構成する弧の外向き頂部につなぎ部１７αが位置するように破断用ミシン目１５を設けるものとした。
【００３７】
このように破断用ミシン目１５において曲線状域αを構成する弧の頂部につなぎ部１７αが位置すると、破断用ミシン目１５の開裂が開始される起点部分の強度が高まり、意図しない破断用ミシン目１５の開裂が生じないように制御することができるものとなる。
【００３８】
図２において破断用ミシン目１５は、曲線状域αを構成する切断部が符号１６α、同つなぎ部が符号１７α、直線状域βを構成する切断部が符号１６β、同つなぎ部が符号１７β、及び曲線状域αと直線状域βの間に位置するつなぎ部が符号１７として示されさている。したがって、図２において破断用ミシン目１５は、曲線状域αを構成する弧の頂部につなぎ部１７αが位置し、その両側に切断部１６αが形成され、各切断部１６αにそれぞれ連続するようにつなぎ部１７を介して、直線状域βにおける切断部１６βとつなぎ部１７βとが交互に位置するように形成されたものとして示されている。
【００３９】
なお、図２に示す破断用ミシン目１５はあくまでも一例であり、破断用ミシン目１５において曲線状域αや直線状域βに存するつなぎ部１６α，１６βや切断部１７α，１７βの数は図示されたものに限定されない。したがって、たとえば、破断用ミシン目１５において曲線状域αを構成する弧を大きくすれば、曲線状域αに存する切断部１６αやつなぎ部１７αの数は、図２に示す数より多いものとなる。また、破断用ミシン目１５における切断部やつなぎ部の長さを小さくすれば、曲線状域αや直線状域βに存するつなぎ部１６α，１６βや切断部１７α，１７βの数は、図２に示す数より多いものとなる。
【００４０】
また、本実施の形態において破断用ミシン目１５は、図３に示すように、開裂し易さを考慮して、少なくとも曲線状域αを構成する弧の頂部に位置するつなぎ部１７αの長さが、他のつなぎ部の長さより短く設定されているものとすると良い。すなわち、山型形状を呈する破断用ミシン目１５において曲線状域αを構成する弧の頂部は、破断用ミシン目１５の開裂が開始される起点部分になり得る位置といえる。ゆえに、起点位置に存するつなぎ部１７αの長さを短くすることでこの部分の強度を弱めることができる。
【００４１】
したがって、破断用ミシン目１５の開裂が開始される部分が曲線状域αを構成する弧の頂部となる場合、この頂部につなぎ部１７αを設けると共に、このつなぎ部１７αの長さを他のつなぎ部の長さより短くすることで、上述したように意図しない破断用ミシン目１５の開裂が生じないように制御しつつ、つなぎ部１７αの強度を弱めて小さい応力（押圧力）によって破断用ミシン目１５の開裂を可能とすることができる。
【００４２】
図３において破断用ミシン目１５は、曲線状域αを構成する弧の頂部に位置するつなぎ部１７αの長さＬ１が、直線状域βを構成するつなぎ部１７βの長さＬ２より短く設定されたもの（Ｌ１＜Ｌ２）として示されている。
【００４３】
また、曲線状域αと直線状域βの間に位置するつなぎ部１７の長さは、求める破断用ミシン目１５の開裂し易さに応じて適宜設計変更することができる。たとえば、曲線状域αを構成する切断部１６αが長く開裂し易いものとなっている場合、つなぎ部１７の長さは、直線状域βにおけるつなぎ部１７βと同様に曲線状域αを構成するつなぎ部１７αより長いものとすることができる。一方、曲線状域αを構成する切断部１６αが短く開裂し辛いものとなっている場合、つなぎ部１７の長さは、曲線状域αを構成するつなぎ部１７αと同様に直線状域βにおけるつなぎ部１７βより短いものとすることができる。
【００４４】
ゆえに、本発明において破断用ミシン目１５は、図４に示すように、曲線状域αを構成する弧の頂部に位置するつなぎ部１７αと、このつなぎ部１７αに隣接する二つのつなぎ部１７，１７を含めた三つのつなぎ部の長さが、他のつなぎ部１７βの長さより短く設定されたものとしても良い。
これにより、破断用ミシン目１５の開裂し易さを高めるものとすることができ、意図しない破断用ミシン目１５の開裂の制御と、破断用ミシン目１５の開裂し易さとの調整を図るものとすることができる。
【００４５】
図４において破断用ミシン目１５は、曲線状域αを構成する弧の頂部に位置するつなぎ部１７αと、これに隣接する二つのつなぎ部１７，１７の長さＬ１が、直線状域βを構成するつなぎ部１７βの長さＬ２より短く設定されたもの（Ｌ１＜Ｌ２）として示されている。
【００４６】
さらに、本発明において破断用ミシン目１５は、図示しないが、曲線状域αを構成する弧の大きさによっては、曲線状域αと直線状域βの間に位置するつなぎ部１７に関係なく、曲線状域αを構成する全てのつなぎ部の長さが、直線状域βにおけるつなぎ部の長さより短く設定されたものとしても良い。
これによっても破断用ミシン目１５の開裂し易さを高めるものとすることができ、意図しない破断用ミシン目１５の開裂の制御と、破断用ミシン目１５の開裂し易さとの調整を図ることができる。
【００４７】
また、本発明に係る包装容器１０の底面部１２は、図１及び図２に示すように、曲線状域αを構成する弧の頂部に位置するつなぎ部１７αの近傍に、文字や図形といった視覚的に認識したり、もしくは凹凸など触覚的に認識したりすることができる目印１８が施されているものとすると望ましい。
【００４８】
この目印１８は、破断用ミシン目１５を小さい力で容易に開裂するための押圧位置が分かるように設けられたものであり、図１及び図２において目印１８は、黒塗り星印として示されている。ゆえに、この部分を押圧することで効率良く破断用ミシン目１５の開裂が行われるものとなる。
【００４９】
また、本発明において破断用ミシン目１５は、直線状域βにおける端部側の切断部が底面部の周縁まで達していないものとすると望ましい。すなわち、図６に示すように、直線状域における端部側の切断部１６ｅが底面部１２の周縁１２ａまで達していると、包装容器１０の周縁１２ａ部分に衝撃等の応力が加わった場合、その力が破断用ミシン目へ伝わって意図せずに開裂してしまうことがある。
【００５０】
そこで、本発明では、破断用ミシン目１５と包装容器１０の周縁１２ａとの間に切断部が存しない、いわば緩衝領域を設けることで、包装容器１０の周縁１２ａ部分に加わった応力が破断用ミシン目へ伝わらないように制御して、意図しない破断用ミシン目１５の開裂が抑制されるようにすることができる。
【００５１】
さらに、本発明において破断用ミシン目１５は、直線状域βにおける端部側の切断部が底面部の周縁まで達せず、かつ、底面部の周縁から遠ざかるように曲折する弧状に形成されているものとすると望ましい。すなわち、図５に示すように、直線状域βにおける端部側の切断部１６ｅが底面部１２の周縁１２ａ側に向かって直線状に形成されていると、破断用ミシン目１５を開裂した際、直線状域βの延長線上に沿って底面部１２が破壊されるものとなる。そうすると、破断用ミシン目１５による開裂による底面部１２の破壊が最短で周縁１２ａに達し、底面部１２が十分に破壊されないことがある。
【００５２】
そこで、本発明では、直線状域βにおける端部側の切断部１６ｅを、底面部１２の周縁１２ａから遠ざかるように曲折する弧状に形成することで、破断用ミシン目１５を開裂した際、底面部１２が弧状に曲折する端部側の切断部１６ｅの延長線上に沿ってすぐには周縁１２ａに達しないように破壊され、底面部１２が平面的に効率良く破壊されるものとすることができる。
【００５３】
次に、上述した本発明の包装容器の製造方法について説明する。
本発明の包装容器１０は、廃棄する際に手で押し潰すことを可能とするものであって、たとえば、以下に述べる方法によって機械的に製造することができる。
【００５４】
まず、包装容器１０において周胴部１１となる筒状体を予め製造する。
具体的には、たとえば、図７において模式的に示すワインダー装置を用いて筒状体の製造を行うことができる。ワインダー装置では、固定されたマンドレル（金属のロール）ＷＭの周囲に複数の帯状シート部材をスパイラル状に重ねて巻き付けることで、一端側と他端側とが共に開口する長尺筒状体１Ａを製造する。そして、この長尺筒状体１ＡをマンドレルＷＭから引き抜き、所定の長さにカットすることで、図９に示すような個別の筒状体１とするものである。
【００５５】
図７において、４つの帯状シート部材１ａ，１ｂ，１ｃ，１ｄをマンドレルＷＭの周囲にスパイラル状に重ねて巻き付けることで長尺筒状体１Ａを製造する状態が模式的に示されている。
【００５６】
一方、包装容器１０において底面部１２となるボトム部材２を予め別途製造する。
このボトム部材２は、図９に示すように、筒状体１のボトム側開口１ｂと同じ形状であり、ボトム側開口１ｂに接合可能とする折り込み幅２ｗ分だけ少し大きく形成されたものとなっている。
【００５７】
このボトム部材２は、シート部材を打抜いて成形するものであって、たとえば、図８に示すようなボトマー装置を用いて筒状体１とボトム部材２とを接合する直前に、シート部材を打抜いて成形することができる。このボトマー装置は、マンドレルＢＭが図中の矢印が示す方向に回転するものとなっており、回転移動しながら各工程を経ることで筒状体１とボトム部材２との接合が連続的に行われるものとなっている。ゆえに、ボトマー装置を用いて、ボトム部材２の打抜き成形と、筒状体１とボトム部材２との接合を一連に行うものとすることができる。
【００５８】
図８に示すボトマー装置での各工程を具体的に説明すると、まず、ボトマー装置における第１ステーションにおいて、マンドレルＢＭに筒状体１を挿入して支持する。
次いで、移動した第２ステーションにおいて、別途供給されたシート部材を打抜いてボトム部材２を成形すると同時に、打抜いたボトム部材２をマンドレルＢＭの先端（すなわち、筒状体１のボトム側開口１ｂ縁部）に配置する。
【００５９】
ここで、シート部材には破断用ミシン目が予め形成されたものとなっており、シート部材の打抜きにおいては、筒状体１のボトム側開口１ｂと同じ形状であり、ボトム側開口１ｂより折り込み幅２ｗ分だけ少し大きく、かつ、破断用ミシン目１５が底面部１２の中心領域に位置しないように行われるものとなっている。
なお、打抜かれたボトム部材２は、マンドレルＢＭの内部より吸引することで筒状体１のボトム側開口１ｂ縁部に配置した状態を維持することができる。
【００６０】
引き続き、一つ飛ばした第４ステーションにおいて、ボトム部材２の表面を加熱して、予め塗布されていた接着材を溶融する。すなわち、ボトム部材２を打抜くシート部材の表面には、たとえば、ポリエチレン（ＰＥ）のような溶融可能な接着用の合成樹脂が予め塗布されたものとなっている。
【００６１】
さらに、次の第５ステーションにおいて、筒状体１のボトム側開口１ｂ縁部に折り込むための折り目を付けると共に、筒状体１のボトム側開口１ｂ縁部とボトム部材２の折り込み幅２ｗ部分とを共に折り込む。
引き続き、第６ステーションにおいて、折り込まれた筒状体１とボトム部材２とを圧着して接合する。これにより、本発明に係る包装容器１０が製造される。
なお、接合された筒状体１とボトム部材２の状態は、たとえば、図１０に示すことができる。
【００６２】
図１０において、筒状体１のボトム側開口１ｂの縁部は、外側より内側に向かって折り込まれ、ボトム部材２の折り込み幅２ｗ部分を巻き込むように接合されたものとして示されている。
【００６３】
そして、一つ飛ばした最後の第８ステーションにおいて、図中の白抜き矢印が示すようにマンドレルＢＭの内部より底面部１２の中心領域へ向かってエアーを噴射しながら、製造された包装容器１０をマンドレルＢＭから引き抜く。
【００６４】
なお、上述したボトマー装置では、破断用ミシン目が予め形成されたシート部材を用いて打抜くものとして説明したが、何れかのステーションにおいて破断用ミシン目を形成して、シート部材の打抜きによるボトム部材２の成形から筒状体１とボトム部材２とを接合までを一連に行うものとしても良い。
【００６５】
次に、製造された本発明の包装容器１０を廃棄する場合について説明する。
まず、不要になった包装容器１０を逆さにし、底面部１２に形成した破断用ミシン目１５の近傍に設けられた目印１８部分に指を添えて上方（外方）より下方（内方）へ向かって押し込むように荷重を掛ける。そうすると、図１１（Ａ）に示すように、底面部１２が破断用ミシン目１５に沿って容易に破断して少し開口するものとなる。
【００６６】
引き続き、破断用ミシン目１５近傍の押し込みを続けて破断用ミシン目１５を全て開裂させると共に、底面部１２をさらに押し込んでいく。そうすると、図１１（Ｂ）に示すように、底面部１２が略全面的に破断されるものとなる。
その後、図中の白抜き矢印の方向に包装容器１０の周胴部１１を押圧することで、図１１（Ｃ）に示すように、包装容器は容易に平たく押し潰されて少量化・減容化を図ることができる。
【００６７】
以上のように本発明によれば、包装容器の底面部の中心領域を避けて非直線形状を呈する脆弱部（破断用ミシン目）を設けることで、外部からの衝撃等によっても収容された商品が容易に破損することのない丈夫で耐久性に優れた機械的強度の高い部材で形成された準剛性の包装容器の減容化作業を、効率良く容易に行うものとすることができる。
【００６８】
なお、上述した本実施の形態では、底面部が円形をした円筒状の包装容器の底面部における中心領域を避けて、脆弱部として山型形状を呈する破断用ミシン目を設けたものについて説明したが、本発明はこれに限定されるものではない。
したがって、本発明では非直線形状を呈する脆弱部として、たとえば、図１２（Ｂ）に示すように、一つの弧から形成された曲線状域と、この曲線状域の一端側及び他端側より斜めに周縁方向へ夫々延びる二つの直線状域を含む傘型形状を呈する破断用ミシン目を底面部の中心領域を避けて設けたものとしても良い。また、図１２（Ｃ）に示すように、一つの弧から形成された曲線状域からなる円弧型形状を呈する破断用ミシン目を底面部の中心領域を避けて設けたものとしても良い。
【００６９】
また、本発明において非直線形状を呈する脆弱部は、曲線状域が連続する二つの弧から形成されるものものとしても良い。このような脆弱部は、たとえば、図１３に示すことができる。
図１３において、脆弱部として、連続する二つの弧から形成された曲線状域αと、この曲線状域αの一端側及び他端側より底面部１２の縁部１２ａ方向へ夫々延びる二つの直線状域β、βとが連続する、二瘤（ふたこぶ）山型形状を呈する破断用ミシン目２５が設けられた包装容器２０が示されている。
【００７０】
このように脆弱部が二瘤山型形状を呈するものであると、脆弱部の開裂を開始させる部分となる曲線状域を構成する弧の頂部が二ヶ所となり、効率良く底面部を破壊することができる。すなわち、このような二瘤山型形状を呈する脆弱部を開裂する場合は、たとえば、包装容器の底面部を正面に向け、周胴部を両方の掌で包むようにして持つ。そして、脆弱部における一方の弧の近傍に設けられた目印１８に一方の親指を添えるともに、脆弱部における他方の弧の近傍に設けられた目印１８に他方の親指を添えた状態で押圧する。これにより、脆弱部を容易に開裂して、効率良く底面部を破壊することができる。
【００７１】
また、本発明は、非直線形状を呈する脆弱部が、底面部の中心領域を避けて少なくとも二ヶ所に設けられているものや、底面部の中心領域を避けて二ヶ所設けられた脆弱部が対称位置に設けられているものとしても良い。
【００７２】
本発明において脆弱部を少なくとも二ヶ所以上設けるものとすることで、底面部が大きい包装容器であっても効率良く底面部を破壊することができる。しかも、脆弱部が対称位置に設けられていると、包装容器を平たく押し潰す減容化作業を容易に行うものとすることができる。
【００７３】
さらに、底面部が多角形状をした包装容器の底面部に、山型形状を呈する脆弱部が設けられているものや、脆弱部における曲線状域を構成する弧の頂部が底面部の角部に位置するものとしても良い。底面部が多角形状をし、脆弱部における曲線状域を構成する弧の頂部が底面部の角部に位置するものとしては、たとえば、図１４に示すことができる。
【００７４】
図１４において、底面部３２は角部が丸みを帯びた四角形状をし、脆弱部として山型形状を呈する二つの破断用ミシン目３５Ａ，３５Ｂが設けられた包装容器３０が示されている。この包装容器３０では、第一の破断用ミシン目３５Ａが、曲線状域を構成する弧の頂部が左上の角部に位置し、第二の破断用ミシン目３５Ｂが、曲線状域を構成する弧の頂部が右下の角部に位置することで、二ヶ所設けられた破断用ミシン目３５Ａ，３５Ｂが対称位置に設けられたものとして示されている。
【００７５】
このように底面部が多角形状をした包装容器においても、脆弱部を容易に開裂して、効率良く底面部を破壊することができる。しかも、脆弱部を二ヶ所対称位置に設けることで、底面部が大きい包装容器であっても効率良く底面部を破壊し、包装容器を平たく押し潰す減容化作業を容易に行うものとすることができる。
【実施例】
【００７６】
次に、本発明に係る包装容器の構造についてさらに詳細に説明するために、実施例を示して具体的に説明する。
まず、底面部の中心領域を避けて非直線形状を呈する脆弱部を設けることが望ましいことを確認するため、脆弱部として包装容器の底面部に色々な形状を呈する破断用ミシン目を形成し、この破断用ミシン目を開裂するのに必要な力量を測定した。
【００７７】
測定に用いた包装容器は、直径約７０ｍｍ、長さ１５０ｍｍをした円筒形状をしたものであり、筒状体１部分は、坪量の異なる４種類の帯状シートをスパイラル状に巻回して製造した。また、底面部１２は、原紙の表面にポリエチレンが予め塗布された坪量２１０ｇ/ｍ２のボトム材を用いて形成した。
【００７８】
また、測定を行った破断用ミシン目の形状は、図１２に示すとおりである。
実施例１は、発明の実施の形態で色々と説明した山型形状を呈する破断用ミシン目を底面部の中心領域を避けて設けたものである（図１２（Ａ）を参照）。また、実施例２は、傘型形状を呈する破断用ミシン目を底面部の中心領域を避けて設けたものである（図１２（Ｂ）を参照）。実施例３は、円弧型形状を呈する破断用ミシン目を底面部の中心領域を避けて設けたものである（図１２（Ｃ）を参照）。
【００７９】
また、比較例１として、一つの弧から形成された曲線状域と、この曲線状域の一端側及び他端側より真横方向へ夫々延びる二つの直線状域を含む麦わら帽子型形状を呈する破断用ミシン目を底面部の中心領域に設けたもの（図１２（Ｄ）を参照）について同様の測定を行った。さらに、比較例２として、底面部に破断用ミシン目を設けないもの（図１２（Ｅ）を参照）についてブランク試験を行った。
なお、（Ａ）から（Ｄ）に示す破断用ミシン目は、何れも切断部の長さが６．５ｍｍ、つなぎ部分の長さが２．０ｍｍに形成されたものとなっている。
【００８０】
また、測定方法は、適当な測定装置が見当たらなかったので、デジタル台秤（大和製衡社製：ＤＰ６７００）の上に製造した包装容器を逆さにして載置し、図１２（Ａ）から（Ｅ）において黒塗り円で示す部分を少しずつ押圧して、破断用ミシン目が開裂されるまでにデジタル台秤に対して加えられる負荷の値を破断用ミシン目の強度として測定する、簡易的な手段により行った。そして、この測定を１０回行った平均値を結果として、その評価と共に以下の［表１］示す。
【００８１】
なお、評価は、ブランク試験（比較例２）での値が１２．０Ｋｇであったことから、底面部を容易に開裂できるとするには、少なくともその半分（６．０ｋｇ）未満の力で開裂できなければ望ましくなく、一方、さらにその３分の１（２．０ｋｇ）未満の力で開裂されてしまうものとすると、外部からの衝撃等によって意図せず開裂するおそれがあると判断したことに基づくものである。
【００８２】
したがって、２．０ｋｇ未満で開裂したものは、意図せず開裂するおそれがあるものとして評価は「×」、また、２．０ｋｇ以上６．０ｋｇ未満で開裂したものは、意図せず開裂するおそれが無く、かつ、開裂し易いものとして評価は「○」、そして、６．０ｋｇ以上でないと開裂できないものは、開裂し辛いものとして評価は「×」で示した。
【００８３】
【表１】
0006712467.tif 000002
【００８４】
［表１］の結果より、非直線形状を呈する破断用ミシン目を底面部の中心領域を避けて設けた実施例１から３は、何れも脆弱部としての強度が適当であり、外部からの衝撃等によって意図せず開裂するおそれが無く、かつ、開裂し易いものあって好ましいことが確認できた。その中でも実施例２の傘型形状を呈する破断用ミシン目が最も望ましいことが分かった。
一方、非直線形状を呈する破断用ミシン目を底面部の中心領域に設けた比較例１は、予想通り脆弱部としての強度が低く、意図せず開裂するおそれがあり望ましくないことが分かった。
【００８５】
引き続き、脆弱部として望ましい結果が得られた実施例１から３の破断用ミシン目を開裂した包装容器を、図１２に示すイ方向及びロ方向より押圧して包装容器を押し潰したときの値を測定した。そして、この測定を１０回行った平均値を結果として、その評価と共に以下の［表２］示す。
また、参考のために、破断用ミシン目が無い比較例２の包装容器においても同様の測定を行った。ただし、比較例２においては押し潰す方向は関係ないので、底面部がそのままの状態で図１２に示すイ方向より押圧する測定のみを行った。
【００８６】
【表２】
0006712467.tif 000003
【００８７】
［表２］の結果より、何れの形状をした破断用ミシン目であっても、破断用ミシン目を開裂することで包装容器を容易に押し潰すことができることが確認できた。
【００８８】
次に、上記評価において好ましい結果を得た実施例１から３の中で、脆弱部としての強度が中間であった実施例１の山型形状を呈する破断用ミシン目を用いて、もっと開裂し易くするにはどうした良いか種々検討した。ここで山型形状を呈する破断用ミシン目を用いてさらに検討を行った理由は、脆弱部としての強度が中間であった山型形状を呈する破断用ミシン目で良い結果が得られれば、他の形状の破断用ミシン目においても同様の結果が得られることが推測され、容易に転用することができるためである。
【００８９】
まず、破断用ミシン目において、つなぎ部の長さはどれくらいが望ましいかを検討した。すなわち、上記実施例１においてつなぎ部の長さは２．０ｍｍであったが、もっと開裂し易くするにはどれくらいまで短くすることができるかを確認した。
そこで、上記実施例１でのつなぎ部の長さを基準とし、徐々に短くして同様の測定を行った。具体的には、実施例４は、つなぎ部の長さを１．８ｍｍとした山型形状を呈する破断用ミシン目であり、実施例５は、つなぎ部の長さを１．５ｍｍとした山型形状を呈する破断用ミシン目である。なお、つなぎ部の長さを１．５ｍｍ以下とした場合については、意図せず開裂するおそれがあるものと判断して実施しなかった。その測定結果を、評価と共に以下の［表３］示す。
【００９０】
【表３】
0006712467.tif 000004
【００９１】
［表３］の結果より、つなぎ部の長さを１．８ｍｍとすれば同２．０ｍｍの場合に比較して、破断用ミシン目がかなり開裂し易くなることが分かった。また、つなぎ部の長さが１．８ｍｍの場合に測定値が２．９ｋｇであって、同２．０ｍｍの場合の測定値である４．１ｋｇから著しく下がったことから考慮すると、つなぎ部の長さを１．５ｍｍにすると意図せず開裂するおそれ著しく高まるものになってしまうことが推測される。実際につなぎ部の長さが１．５ｍｍの場合について測定した結果、０．８ｋｇとかなり小さい力で破断用ミシン目を開裂することができ、やはり意図せず開裂するおそれが著しく高まるものになってしまうと共に、破断用ミシン目においてつなぎ部の長さは１．８ｍｍ程度とするのが望ましいことが分かった。
【００９２】
次に、好ましい結果が得られたつなぎ部の長さが１．８ｍｍの破断用ミシン目（実施例４）を用いて、曲線状域を構成する弧の頂部に位置するようにつなぎ部を形成した方が望ましいことを同様の測定を行って確認した。その測定結果を、評価と共に以下の［表４］示す。
【００９３】
【表４】
0006712467.tif 000005
【００９４】
［表４］の結果より、曲線状域を構成する弧の頂部に位置するようにつなぎ部を形成した方が望ましいことが確認でき、曲線状域を構成する弧の頂部につなぎ部がないと、つなぎ部がある場合に比して破断用ミシン目の開裂強度が著しく低下し、意図せず開裂するおそれがあるものになってしまうことが分かった。また、この結果より、つなぎ部の長さが２．０ｍｍの場合でも、同様の結果が得られるものと推測される。
【００９５】
次に、上記実施例４より、つなぎ部の長さを１．８ｍｍとすることで、２．０ｍｍの場合に比較して開裂し易くできることが分かったが、つなぎ部の長さが２．０ｍｍの場合においてもっと開裂し易くする場合について検討した。
そこで、山型形状を呈する破断用ミシン目において、曲線状域を構成する弧の頂部に位置するつなぎ部の長さを他のつなぎ部の長さに比して短くした方が望ましくなることを、同様の測定を行って確認した。具体的には、実施例７は、弧の頂部に位置するつなぎ部の長さを１．５ｍｍとし、他のつなぎ部の長さを２．０ｍｍとした山型形状を呈する破断用ミシン目であり、実施例８は、弧の頂部に位置するつなぎ部の長さを１．０ｍｍとし、他のつなぎ部の長さを２．０ｍｍとした山型形状を呈する破断用ミシン目である。その測定結果を、評価と共に以下の［表５］示す。
なお、弧の頂部に位置するつなぎ部の長さを１．０ｍｍ以下とした場合については、意図せず開裂するおそれがあるものと判断して実施しなかった。
【００９６】
【表５】
0006712467.tif 000006
【００９７】
［表５］の結果より、破断用ミシン目におけるつなぎ部の長さが２．０ｍｍの場合、弧の頂部に位置するつなぎ部の長さは１．５ｍｍ又は１．０ｍｍの何れでも好ましく、全てのつなぎ部の長さを２．０ｍｍとした場合に比較して、破断用ミシン目を開裂し易くできることが分かった。特に、弧の頂部に位置するつなぎ部の長さを１．０ｍｍとした場合はかなり開裂し易くできることが分かった。また、頂部つなぎ部の長さが１．０ｍｍの場合の測定値が２．５ｋｇであることから、頂部つなぎ部の長さを１．０ｍｍ以下にすると、意図せず開裂するおそれが高まるものになってしまうことが推測される。
【００９８】
最後に、上記実施例８より、破断用ミシン目におけるつなぎ部の長さが２．０ｍｍの場合、弧の頂部に位置するつなぎ部の長さを１．０ｍｍとすることで、破断用ミシン目をかなり開裂し易くできることが分かったが、弧の頂部に位置するつなぎ部の長さが１．５ｍｍの場合においてもっと開裂し易くする場合について検討した。
そこで、山型形状を呈する破断用ミシン目において、曲線状域を構成する弧の頂部に位置するつなぎ部と、このつなぎ部に隣接する二つのつなぎ部を含めた三つのつなぎ部の長さを、他のつなぎ部の長さに比して短くした方が望ましいことを、同様の測定を行って確認した。具体的には、実施例９は、曲線状域を構成する弧の頂部に位置するつなぎ部と、このつなぎ部に隣接する二つのつなぎ部を含めた三つのつなぎ部の長さを１．５ｍｍとし、他のつなぎ部の長さを２．０ｍｍとした山型形状を呈する破断用ミシン目である。その測定結果を、評価と共に以下の［表６］示す。
【００９９】
【表６】
0006712467.tif 000007
【０１００】
［表６］の結果より、山型形状を呈する破断用ミシン目において、曲線状域を構成する弧の頂部に位置するつなぎ部と、このつなぎ部に隣接する二つのつなぎ部を含めた三つのつなぎ部の長さを１．５ｍｍとし、他のつなぎ部の長さを２．０ｍｍとすることで、全てのつなぎ部の長さを１．８ｍｍとした場合や、曲線状域を構成する弧の頂部に位置するつなぎ部のみの長さを１．５ｍｍもしくは１．０ｍｍとし、他のつなぎ部の長さを２．０ｍｍとした場合に比較して、破断用ミシン目がもっとも開裂し易くでき望ましくなることが分かった。
【符号の説明】
【０１０１】
α  曲線状域、β  直線状域、１  筒状体、１ｂ  ボトム側開口、２  ボトム部材、２ｗ  折込み幅、１０，２０，３０  包装容器、１１  周胴部、１２  底面部、１２ａ  周縁、１５，２５，３５Ａ，３５Ｂ  破断用ミシン目（脆弱部）、１６，１６ｅ，１６α、１６β  切断部、１７，１７α、１７β  つなぎ部、１８  目印。 
【図１】
0006712467.tif 000008
【図２】
0006712467.tif 000009
【図３】
0006712467.tif 000010
【図４】
0006712467.tif 000011
【図５】
0006712467.tif 000012
【図６】
0006712467.tif 000013
【図７】
0006712467.tif 000014
【図８】
0006712467.tif 000015
【図９】
0006712467.tif 000016
【図１０】
0006712467.tif 000017
【図１１】
0006712467.tif 000018
【図１２】
0006712467.tif 000019
【図１３】
0006712467.tif 000020
【図１４】
0006712467.tif 000021